(57)【要約】【課題】側板内に収容された機構の整備を容易に行うことが可能な魚釣用リールを提供すること。【解決手段】スプール２０を回転自在に支持するリール本体１２を備え、このリール本体の一方の側板１６ｂにハンドル軸２６ａを回転可能に支持し、このハンドル軸２６ａの回転操作で前記スプール２０を巻取り回転する巻取り駆動機構２２をこの側板１６ｂ内に収容すると共に、この側板１６ｂの外周の一部に、巻取り駆動機構２２の駆動歯車４２の一部を外部に露出する切欠部６６を形成し、この切欠部６６を閉塞するカバー部材６８をこの側板に着脱可能とした魚釣用リールであって、カバー部材６８は、切欠部６６から外部に露出する駆動歯車４２の部位を収容する膨出部７２と、側板１６ｂに固定される固定部７０とを連続した弧状形状に形成し、ハンドル軸２６ａと交差する方向から側板１６ｂに着脱可能とした魚釣用リール。【選択図】      図４
2008154494.tif 000002
【特許請求の範囲】
【請求項１】
フレームの側部に側板を装着しかつ釣糸を巻回するスプールを回転自在に支持するリール本体を備え、このリール本体の一方の側板にハンドル軸を回転可能に支持し、このハンドル軸の回転操作で前記スプールを巻取り回転する巻取り駆動機構をこの側板内に収容すると共に、この側板の外周の一部に、巻取り駆動機構の駆動歯車の一部を外部に露出する切欠部を形成し、この切欠部を閉塞するカバー部材をこの側板に着脱可能とした魚釣用リールであって、
前記カバー部材は、前記切欠部から外部に露出する駆動歯車の部位を収容する膨出部と、前記側板に固定される固定部とを連続した弧状形状に形成たことを特徴とする魚釣用リール。
【請求項２】
前記膨出部と固定部とは、前記一方の側板の外周と共に連続した円形状の外形を形成する請求項１に記載の魚釣用リール。
【請求項３】
前記一方の側板は、外方に突出して前記ハンドル軸を支える突出部を有し、前記カバー部材の端部間の間隔は、前記ハンドル軸と交差する方向から着脱可能で、この突出部が通過可能な大きさに形成されることを特徴とする請求項１又は２に記載の魚釣用リール。
【発明の詳細な説明】
【技術分野】
【０００１】
本発明は、魚釣用リールに関し、特に、釣糸を巻回するスプールをリール本体の側板間に回転自在に支持し、一方の側板に設けたハンドルでこのスプールを巻取り駆動する魚釣用リールに関する。
【背景技術】
【０００２】
リール本体の側板間に回転自在に支持したスプールを回転駆動してこのスプールに釣糸を巻き取る巻取り駆動機構を、一方の側板に収容した魚釣用リールにあっては、全体の構造が大型化するのを防止しながらスプールの巻取り速度の高速化を図ることが要求されている。
【０００３】
このような魚釣用シールには、スプールの巻取り速度を高速化すると共に側板と駆動歯車とが干渉するのを防止するため、巻取り駆動機構を収容する側板の外周の一部に切欠部を形成し、大径に形成した駆動歯車の一部をこの切欠部から側板の外部に露出させ、更に、この切欠部を、側板の円筒状の外周部を覆う環状のカバー部材で閉塞するものが提案されている（例えば特許文献１参照）。
【特許文献１】特許第３５２４７８１号公報
【発明の開示】
【発明が解決しようとする課題】
【０００４】
このような魚釣用リールは、特に巻取り駆動部の噛合い性能を維持するためには、巻取り駆動部の定期的な注油や実釣り後の清掃・注油等の保守整備を欠かすことができない。通常、このような魚釣用リールの側板内に収容される巻取り駆動部は、精密な機構で形成されているため、通常の保守整備は、側板内の巻取り駆動部を分解することなく、環状のカバー部材を側板から取り外し、側板の外部からこの切欠部を通して行うのが一般的である。
【０００５】
通常、巻取り駆動部を収容する側板には、ハンドル軸から側板の外周部を越えて半径方向外方に延びるハンドルが取付けられており、このハンドルが邪魔となって環状のカバー部材を魚釣用リールから完全に取外すことができない。固定用のネジ等が取外され、ハンドルと側板との間で動くことができるとしても、その動きの範囲が制限され、切欠部を介する注油等の保守整備作業の大きな妨げとなる。
【０００６】
このため、注油等の保守整備を行う際は、ハンドル締付け用のナットを緩めてハンドルを取外した後に、環状のカバー部材を側板から完全に取外し、全体が露出した切欠部を通して注油等をする必要がある。魚釣用リールの整備作業等に、このようなハンドル締付け用のナットおよびハンドルの着脱作業を必要とすることは、作業性を低下あるいは悪化させることになり、これにより保守整備作業が容易に行えなくなり、改善が望まれている。
【０００７】
また、ハンドル締付け用ナットを緩めるためには、工具が更に必要なため、不便である。
【０００８】
本発明は、このような事情に基づいてなされたもので、側板内に収容された機構の整備を容易に行うことが可能な魚釣用リールを提供することを目的とする。
【課題を解決するための手段】
【０００９】
上記目的を達成するため、本発明によると、フレームの側部の側板を装着しかつ釣糸を巻回するスプールを回転自在に支持するリール本体を備え、このリール本体の一方の側板にハンドル軸を回転可能に支持し、このハンドル軸の回転操作で前記スプールを巻取り回転する巻取り駆動機構をこの側板内に収容すると共に、この側板の外周の一部に、巻取り駆動機構の駆動歯車の一部を外部に露出する切欠部を形成し、この切欠部を閉塞するカバー部材をこの側板に着脱可能とした魚釣用リールであって、前記カバー部材は、前記切欠部から外部に露出する駆動歯車の部位を収容する膨出部と、前記側板に固定される固定部とを連続した弧状形状に形成した魚釣用リールが提供される。
【００１０】
前記膨出部と固定部とは、前記一方の側板の外周と共に連続した円形状の外形を形成することが好ましい。
【００１１】
また、前記一方の側板は、外方に突出して前記ハンドル軸を支える突出部を有し、前記カバー部材の端部間の間隔は、前記ハンドル軸と交差する方向から着脱可能で、この突出部が通過可能な大きさに形成されることが好ましい。
【発明の効果】
【００１２】
この魚釣用リールによると、リール本体の側板からハンドルを取外すことなく、カバー部材だけを取外して切欠部の全体を外方に開口させ、この切欠部を介して巻取り駆動機構に対する注油を含む保守整備作業を容易に行うことができる。
【００１３】
このカバー部材が、側板の外周部と共に連続した円形状の外形を形成する場合には、保守整備作業が容易なことに加え、側板の滑らかな円形状の外観を維持し、握持性および操作性に優れた魚釣用リールを形成する。
【００１４】
また、巻取り駆動機構を収容する側板がハンドル軸を支える突出部を有し、弧状形状のカバー部材の両端部間の間隔が、ハンドル軸と交差する方向から着脱可能でこの突出部が通過可能な大きさに形成される場合には、カバー部材の固定部を側板から取外するだけで、極めて容易かつ迅速に側板からカバー部材を取外すことができる。
【発明を実施するための最良の形態】
【００１５】
図１から図６は、本発明の好ましい実施形態による魚釣用リール１０を示す。
【００１６】
図１に全体を示すように、本実施形態の魚釣用リール１０は、両軸受型手巻きリールとして形成してある。この魚釣用リール１０のリール本体１２は、連結部材等で一体化される左右一対のフレーム１４ａ，１４ｂのそれぞれの外側に、例えばビス、螺合あるいは嵌合等の結合手段により、円形状あるいは円筒状の側板１６ａ，１６ｂを取付けて、全体的に剛性構造のハウジングとして形成され、取付脚部１８を介して釣竿に固定される。
【００１７】
釣糸が巻回されるスプール２０は、左右のフレーム１４ａ，１４ｂ間に回転自在に支持され、右側板１６ｂは、スプール２０を回転駆動させる巻取り駆動部２２を支持し、この右側板１６ｂ内に右フレーム１４ｂで区画された空間内に、この巻取り駆動部２２の後述する駆動力伝達系やドラグ系等の各種機構が収容される。
【００１８】
このリール本体１２のフレーム１４ａ，１４ｂ間には、スプール２０を装着してこのスプール２０と共に回転するスプール軸２０ａの両端部が、例えば図示のようなボール軸受２４ａ，２４ｂを介して回転自在に支持されている。このスプール軸２０ａの一端側から右フレーム１４ｂを通して突出する端部は、このスプール軸２０ａと一体で同軸状に配置されるピニオン軸２８ａとして形成してあり、このピニオン軸２８ａ上にハンドル２６で回転駆動されるピニオン２８が移動可能に支持されている。
【００１９】
このピニオン２８は、ピニオン軸２８ａを挿通する筒状構造を有し、右フレーム１４ｂおよび右側板１６ｂで支えられた軸受３０ａ，３０ｂにより、リール本体１２に対して回転可能かつ軸方向に移動可能に支持されている。左右のフレーム１４ａ，１４ｂ間に配置されたクラッチレバー３２を介してクラッチ機構をＯＮ／ＯＦＦ操作することにより、ピニオン２８は、図１に示すようにスプール軸２０ａに嵌合してスプール軸２０ａと一体的に回転する係合位置と、スプール軸２０ａとの係合状態が解除された非係合位置との間を移動することができる。
【００２０】
このピニオン２８の移動は、ピニオン２８に形成された周溝２８ｂに係合するヨーク３３を、クラッチ機構のＯＮ／ＯＦＦ操作に連動させて、ピニオン軸２８ａに沿って移動することで行うことができ、ピニオン２８が図１に示す係合位置に配置されたときに、クラッチＯＮの釣糸巻取可能状態となり、図示しない非係合位置では、クラッチＯＦＦのスプールフリー回転状態となる。なお、本実施形態の魚釣用リール１０は、スプール２０が自由に回転できるクラッチＯＦＦの状態で、釣糸を放出した際にスプール２０の過回転を阻止してバックラッシュを防止する磁気制動装置Ｂが、左フレーム１４ａから突出するスプール軸２０ａの端部に設けてある。
【００２１】
更に、右側板１６ｂ内には、一端に締付けナット３４でハンドル２６を取付けられたハンドル軸２６ａがピニオン軸２８ａと平行に配置されており、このハンドル２６を回転することにより、回転駆動される。
【００２２】
このハンドル軸２６ａは、軸受３５ａ，３５ｂを介して右フレーム１４ｂおよび右側板１６ｂで回転可能に支持されている。このハンドル軸２６ａをハンドル２６側で支える軸受３５ｂは、右側板１６ｂの略円筒状に突出する突出部１６ｃに設けてあり、この突出部１６ｃ内には、ハンドル軸２６ａの釣糸巻回方向への回転を許容し、逆方向の回転を阻止する一方向クラッチ３６が配置されている。
【００２３】
また、ハンドル軸２６ａの右フレーム１４ｂに近接する内端側には、ピニオン２８をスプール軸２０ａから分離した状態でハンドル２６を回転したときに、クラッチＯＮの状態に復帰させるクラッチ復帰用のラチェット歯車３８と連動歯車４０とが支持されている。ラチェット歯車３８は、ハンドル軸２６ａに回り止め嵌合されている。また、連動歯車４０は、ハンドル軸２６ａに回転可能に支持されるとともに、ハンドル２６側に突出する突起４０ａを、このハンドル軸２６ａ上に回転可能に支えられた駆動歯車４２の側面に開口する孔に嵌合し、この駆動歯車４２と一体に回転することができる。
【００２４】
更に、連動歯車４０は、スプール２０の前方側に配置したレベルワインド機構４４のウォームシャフト４６を駆動する歯車４６ａと噛合している。このウォームシャフト４６は、左右のフレーム１４ａ，１４ｂ間に延びる筒体４８内に収容されており、端部に取付けられた歯車４６ａが連動歯車４２で回転されたときに、外周面に形成したトラバース溝に係合する係合子４４ａがこの筒体４８に沿って左右に摺動する。これにより、係合子４４ａに形成されたガイド孔（図示しない）を通して、釣糸がスプール２０上に均等に釣糸を巻回される。
【００２５】
連動歯車４０が連結される駆動歯車４２はハンドル２６側が開口した筒状に形成されており、この駆動歯車４２とハンドル軸２６ａとの間に、ドラグ機構５０が設けられている。このドラグ機構５０は、駆動歯車２５の内部空間に収容されて駆動歯車４２と一体回転すると共に軸方向に移動可能な歯車側制動板５２と、ハンドル軸２６ａと一体回転すると共に軸方向に移動可能な軸側制動板５４とを交互に配置し、これらの制動板５２，５４間にライニング材を介挿した多板構造を有し、ハンドル軸２６ａの外端側に螺合したドラグ操作部材５６を回転することで、一方向クラッチ３６の内周側に配置されたスリーブ５８および皿バネ６０を介して各制動板５２，５４をを軸方向に押圧し、所望のドラグ力を付与することができる。すなわち、ハンドル２６を回転操作することで、その駆動力は、ドラグ機構５０を介して駆動歯車４２とピニオンギヤ２８とスプール軸２０ａとを介してスプール２０に伝達される。魚が掛かったときに、釣糸放出方向にスプール２０を回転する力がドラグ力を超えると、駆動歯車４２がドラグ力に抗して回転し、スプール２０が釣糸繰出し方向に回転し、糸切れを防止する。このドラグ力は、ドラグ操作部材５６を操作することで調整される。
【００２６】
上述のように、レベルワイド機構４４のウォームシャフト４６を駆動する歯車４６ａと噛合する連動歯車４０が、駆動歯車４２に併置され、突起４０ａを介して一体回転するように形成されているため、この駆動歯車４２の外径を大きくして釣糸の巻取りをハイスピード化し、一方、フレーム１２の外形は小径構造を維持することができる。これは、駆動歯車４２がウォームシャフト４６の歯車４６ａと直接噛合わないため、このウォームシャフト４６およびその歯車４６ａと干渉することがなく、したがって、駆動歯車４２を大径化することが可能なためである。
【００２７】
特に、図２から図６に示すように、右側の側板１６ｂは、ハンドル２６側から見たときに円形状の外形を有し、右フレーム１４ｂ側に開口する略円筒状構造を有し、この開口側の端部に形成されたフランジ部６２を介して右フレーム１４ｂに複数のネジ６４ａで固定される。
【００２８】
この右側板１６の外周部の一部には、上述の巻取り駆動機構２２の駆動歯車４２の一部を外部に露出する切欠部６６が外周部に沿う円弧状形状に形成してあり、右側の側板１４ｂを大径化することなく、巻取り駆動機構２２（図１参照）の駆動歯車４２を大型化することができ、更に、巻取り速度のハイスピード化を実現することが可能となる。すなわち、右側の側板１４ｂの外周部に、駆動歯車４２の外周部の一部が露出できる切欠部６６を形成しておくことで、右側のフレーム１４ｂおよび側板１６ｂのシンプルな円形あるいは円筒状形状を維持したまま、ピニオン軸２８ａとハンドル軸２６ａとの軸間距離を大きくして駆動歯車４２を大径化することができる。
【００２９】
このような切欠部６６を形成した側板１６ｂには、全体として円弧状形状に形成したカバー部材６８を取り付けることにより、この切欠部６６を閉塞し、駆動歯車４２の切欠部６６から露出する部分を外部から隠蔽している。
【００３０】
本実施形態のカバー部材６８は、側板１６ｂのフランジ部６２に重ねられる固定部７０を両側に配置し、これらの固定部７０間に、切欠部６６を介して外部に突出する駆動歯車４２の部位を収容する膨出部７２を配置した全体的に連続した円弧状形状に形成されている。固定部７０はフランジ部６２に重ねたときに、側板１６ｂの円筒状壁部１７とフレーム１４ｂの外周側縁部１５との間の寸法と等しい幅に形成され、ネジ６４ｂ等の固定具を挿通するための取付孔７１を形成されている。また、この固定部７０の厚肉に形成した部位には、側板１６ｂのフランジ部６２に固定した位置決めピン７４が嵌合する合せ孔７５を形成してある。この合せ孔７５を形成する部位は、膨出部７２と同じ高さに形成してあり、したがって、合せ孔７５は側板１６ｂ側にのみ開口する有底構造に形成してある。
【００３１】
図６の（Ａ）および（Ｂ）に最もよく示すように、円弧状の周壁部７２ａと端壁部７２ｂとで囲まれた凹部７３を有し、この凹部７３内に駆動歯車４２の一部を収容することができる。この周壁部７２ａは、カバー部材６８をリール本体１２に取付けたときに、フレーム１６ｂの外周側縁部１５との間に段差を形成することなく連続した円筒状面あるいはその一部を形成し、端壁部７２ｂは、側板１６ｂのハンドル２６側端面との間に段差を形成することなく連続する平坦面を形成する。したがって、この膨出部７２は、フランジ部６２から軸方向外方に膨出すると共に、側板１６ｂの円筒状壁部１７から半径方向外方に膨出し、フレーム１４ｂと側板１６ｂとの間の収容空間を増大する。
【００３２】
このカバー部材６８は、固定部７０と膨出部７２とが連続する円弧状形状に形成し、固定部７０が側板１６ｂの突出部１６ｃを超え、この側板１６ｂの円筒状壁部の中心部位置を超えない範囲にまで延びるのが好ましい。固定部７０の端部が突出部１６ｃを超えて延びることにより、ネジ６４ｂを取付けあるいは取外す際に、ドラグ操作部材５６から離隔した位置で極めて容易に着脱操作をすることができる。このカバー部材６８の両端部間の間隔Ｗ（図４参照）は、側板１６ｂの突出部１６ｃの最大径Ｄ（図３）よりも大きく形成されており、この突出部１６ｃに対して、カバー部材６８をハンドル軸２６ａと交差する方向からを自由に通過可能にすることができて着脱操作が極めて容易に行え、清掃、注油等の保守整備の作業性が格別に向上する。
【００３３】
このようにハンドル軸２６ａ（図１）と直交する交差方向に沿ってカバー部材６８を移動することで、ハンドル２６を取外すことなく、このカバー部材６８を側板１６ｂに極めて容易かつ簡単にネジ６４ｂで取付け固定し、あるいはこれから取外すことができる。
【００３４】
このように形成した魚釣用リール１０は、円弧状のカバー部材６８をハンドル軸２６ａに交差する方向から側板１６ｂに着脱できることにより、リール本体１２の側板１６ｂからハンドル２６を取外すことなく、カバー部材６８だけを取外して切欠部６６の全体を外方に開口させ、この切欠部６６を介して巻取り駆動機構２２の駆動歯車４２に対する注油を含む保守整備作業を容易に行うことができる。
【００３５】
このカバー部材６８は、実釣時や釣り場の移動時等の携行時等に外力が作用し、あるいは誤って落下した場合であっても、最も精密な巻取り機構２２の特に駆動歯車４２を保護して無用の力を作用させず、また、傷が付きあるいは変形した場合には、このカバー部材６８だけを簡単に交換することができる。
【００３６】
このようなカバー部材６８は、リール本体１２と同様なアルミニウム材や合成樹脂材で形成してもよいが、超々ジュラルミン、ステンレス、チタン、セラミックス等のような高強度材で形成する場合には、実釣時や釣り場の移動、携帯時等の落下も含めた不必要な外力が生じ易い外周部を傷や変形から確実に強度的に防止でき、長期間に亘って機能的支障を防止することができると共に、美観も維持することができる。
【００３７】
また、カバー部材６８とリール本体１２との接合部には、水や異物の侵入を阻止する好適なシール部材７６（図３参照）を配置することが好ましい。このようなシール部材７６は、リール本体１２側あるいはカバー部材６８側に接着、塗布等で一体化してあってもよい。
【００３８】
以上、リール本体１２が円形状あるいは円筒状構造に構成された両軸受型リールを例にして説明したが、これに限ることなく、外側板１６ａ，１６ｂが非円形状あるいは非円筒状構造の両軸受型リールについても同様に適用することができる。また、切欠部６６の形状や、それが形成される位置についても、リール本体１２の構造、巻取り駆動機構２２に応じて適宜に変更することができる。
【図面の簡単な説明】
【００３９】
【図１】本発明の好ましい実施形態による魚釣用リールを示す部分断面図。
【図２】図１に示す魚釣用リールをハンドル側から見た概略的な側面。
【図３】図２の一部を拡大した部分断面図。
【図４】リール本体からカバー部材を取外した状態の説明図。
【図５】図４に示すカバー部材を示し、（Ａ）は側面図、（Ｂ）は（Ａ）のＢ−Ｂの方向から見た図、（Ｃ）は（Ａ）のＣ−Ｃ線に沿う断面図。
【図６】側板とカバー部材との斜視図を示し、（Ａ）はカバー部材を側板から分離した状態の斜視図、（Ｂ）はカバー部材を凹部側から見た図。
【符号の説明】
【００４０】
１０…魚釣用リール、１２…リール本体、１４ａ，１４ｂ…フレーム、１６ａ，１６ｂ…側板、１６ｃ…突出部、２０…スプール、２２…巻取り駆動機構、２６ａ…ハンドル軸、４２…駆動歯車、６６…切欠部、６８…カバー部材、７０…固定部、７２…膨出部。
【図１】
2008154494.tif 000003
【図２】
2008154494.tif 000004
【図３】
2008154494.tif 000005
【図４】
2008154494.tif 000006
【図５】
2008154494.tif 000007
【図６】
2008154494.tif 000008